(57)【要約】【課題】板状のプラスチックカードに、追加セキュリティー手段を備えて、決済セキュリティー性を向上させることができる指紋認識カード及び指紋認識カードを用いたカード動作方法を提供する。【解決手段】本発明による板状の指紋認識カードは、板状の指紋認識カードにおいて、内蔵バッテリーから電源を供給され、電源ボタンの入力に応じて第２領域に内蔵バッテリーから提供された電源を伝達し、第２領域で提供された指紋認証結果に基づいて、第３領域の活性化を制御する第１領域と、第１領域から供給された電源に応答して活性化され、所持者が入力する指紋を感知する指紋認識センサーを備える第２領域と、第１領域の制御に基づいて、活性化される第３領域とを含む。【選択図】  図２
2018063688.tif 000002
【特許請求の範囲】
【請求項１】
板状の指紋認識カードにおいて、
内蔵バッテリーから電源が供給され、電源ボタンの入力に応じて第２領域に前記内蔵バッテリーから提供された電源を伝達し、前記第２領域から提供された指紋認証結果に基づいて第３領域の活性化を制御する第１領域と、
前記第１領域から供給された電源に応答して活性化され、所持者が入力する指紋を感知する指紋認識センサーを備える前記第２領域と、
前記第１領域の制御に基づいて活性化される第３領域と
を含む指紋認識カード。
【請求項２】
前記第１領域は、
前記第１〜第３領域を制御するカード制御部と、
カード所持者の識別の可否、決済処理段階、決済承認の可否及びＯＴＰ（One Time Password）のうち少なくとも一つを視覚的に表示する表示部と
を含む請求項１に記載の指紋認識カード。
【請求項３】
前記第３領域は、
所持者の識別情報又はカード決済情報を暗号化し、保存するセキュリティー装置と、
外部装置と前記セキュリティー装置と間で信号を授受するアンテナと
を含む請求項２に記載の指紋認識カード。
【請求項４】
前記セキュリティー装置は、複数のアプレット（Applet）が保存された記録媒体を含み、
前記カード制御部の制御に従って、前記複数のアプレットの中から一つのアプレットが活性化される請求項３に記載の指紋認識カード。
【請求項５】
前記カード制御部は、外部呼出しコマンドのセキュリティーレベル情報により、前記指紋認識結果と関係なく、前記第３領域を選択的に活性化し、前記複数のアプレットの中から一つのアプレットを起動する請求項４に記載の指紋認識カード。
【請求項６】
前記セキュリティー装置は、
前記外部装置から受信されたデータを前記第１領域に提供し、前記表示部を介して表示する請求項３に記載の指紋認識カード。
【請求項７】
前記第２領域及び前記第３領域のそれぞれは、活性化された以降、既設定された時間が経過した場合、非活性化される請求項３に記載の指紋認識カード。
【請求項８】
前記第２領域は、
前記指紋認識センサーから感知された指紋の正常取得の可否、感知された指紋と既保存された認証情報との一致の可否、及び取得された指紋の種類のうちいずれか一つを判断し、前記指紋認証結果を提供する認証制御部を、更に含む請求項４に記載の指紋認識カード。
【請求項９】
前記カード制御部は、前記認証制御部から判断された指紋の種類に基づいて、前記複数のアプレットの中から一つのアプレットを活性化する請求項８に記載の指紋認識カード。
【請求項１０】
外部電源と連結され、前記セキュリティー装置と接触する接触部と、
前記接触部を介して提供された前記外部電源に基づいて、前記内蔵バッテリーを充電する充電回路と
を更に含む請求項３に記載の指紋認識カード。
【請求項１１】
内蔵バッテリー及び指紋認識センサーを備えた板状の指紋認識カードを用いたカード動作方法において、
前記指紋認識カードに備えられた電源ボタンの入力に応じて、制御領域から指紋認識領域に前記内蔵バッテリーからの電源を供給して、活性化するステップと
前記指紋認識領域の前記指紋認識センサーが前記供給された電源に基づいて、所持者の指紋を感知するステップと、
前記感知された指紋と既保存された認証情報とを照合し、セキュリティー領域の活性化を制御するステップと
を含むカード動作方法。
【請求項１２】
前記セキュリティー領域の活性化を制御するステップは、
前記感知された指紋と既保存された認証情報とが一致する場合、前記セキュリティー領域の特定のアプレットを活性化するステップを含む請求項１１に記載のカード動作方法。
【請求項１３】
前記制御領域が、受信された外部呼出しコマンドのセキュリティーレベル情報により、前記指紋認識領域に対する電源供給を決定するステップを、更に含む請求項１２に記載のカード動作方法。
【請求項１４】
前記外部呼出しコマンドのセキュリティーレベル情報に基づいて、セキュリティーレベルが低い場合、前記指紋認識領域に対する電源供給なしで、前記セキュリティー領域の特定アプレットを活性化するステップを含む請求項１３に記載のカード動作方法。
【請求項１５】
表示部を介してカード所持者の識別の可否、決済処理段階、決済承認の可否、及びＯＴＰのうち少なくとも一つを視覚的に表示するステップを、更に含む請求項１１に記載のカード動作方法。
【請求項１６】
前記指紋認識領域又は前記セキュリティー領域のそれぞれが、活性化された以降、既設定された時間が経過した場合、前記指紋認識領域又は前記セキュリティー領域を非活性化するステップを、更に含む請求項１１に記載のカード動作方法。
【請求項１７】
前記指紋を感知するステップは、指紋の正常取得の可否を判断するステップを含む請求項１２に記載のカード動作方法。
【請求項１８】
前記セキュリティー領域の活性化を制御するステップは、
前記取得された指紋の種類を判断するステップと、
前記取得された指紋種類に応じて前記活性化されるアプレットを決定するステップと
を含む請求項１７に記載のカード動作方法。
【請求項１９】
セキュリティー領域の活性化を制御するステップは、
前記感知された指紋と既保存された認証情報とを照合し、既設定された回数以上一致しない指紋が感知された場合、前記カードの動作を停止する請求項１２に記載のカード動作方法。
【発明の詳細な説明】
【技術分野】
【０００１】
本発明は、指紋認識カード及び指紋認識カードを用いたカード動作方法に関するものである。
【背景技術】
【０００２】
昨今、貨幣を用いない多様な決済技術が発達するにつれて、多様な手段を活用し、決済をより簡単にするための方法が提案されている。決済を行う過程では、便宜性を追求する一方で、高いセキュリティー性も求められるので、決済方式の提案に際しては、２つの側面を考慮しなければならない。
【０００３】
プラスチックカードを用いた決済方式は、古典的に活用されてきた決済方式である。多様な決済手段が開発されている最近においても、プラスチックカードを用いた基本的な決済方式が相変らず好まれている。ところが、所持者の端末を活用した決済方式の場合には、追加的なセキュリティー装置が活用されている反面、プラスチックカードを用いた決済は、依然として別途のセキュリティー装置なしで、承認が行われており、プラスチックカードを紛失した場合に、不正使用を防止することができない。
【０００４】
さらに、携帯するプラスチックカードを活用して決済業務を行うと共に、多様な用途で活用することができるようになれば、プラスチックカードを携帯することに対する拒否感を減らすことができる。
【先行技術文献】
【特許文献】
【０００５】
【特許文献１】米国特許第８，９０４，１８７号明細書
【発明の概要】
【発明が解決しようとする課題】
【０００６】
本発明は、板状のプラスチックカードに、追加セキュリティー手段を備えて、決済セキュリティー性を向上させることができる指紋認識カード及び指紋認識カードを用いたカード動作方法を提供する。
【０００７】
本発明は、プラスチックカードに、追加セキュリティー手段を備える一方で、多様な用途で活用することができるようにすることで、段階的セキュリティー手段の活用を図る。
【０００８】
本発明は、プラスチックカードに備えられた内蔵バッテリーを介して動作し、内蔵バッテリーの電力消耗を最小化するために、選択的に特定の領域にだけ電源を供給し、従来のカード読取り器を介して内蔵バッテリーを充電することができるようにして、永久的なカード使用を期待することができる。
【課題を解決するための手段】
【０００９】
本発明の一実施例による板状の指紋認識カードは、内蔵バッテリーから電源を供給され、電源ボタンの入力に応じて第２領域に前記内蔵バッテリーから提供された電源を伝達し、前記第２領域から提供された指紋認証結果に基づいて第３領域の活性化を制御する第１領域と、前記第１領域から供給された電源に応答して活性化され、所持者が入力する指紋を感知する指紋認識センサーを備える前記第２領域と、前記第１領域の制御に基づいて活性化される第３領域とを含む
【００１０】
一実施例において、前記第１領域は、前記第１〜第３領域を制御するカード制御部と、カード所持者の識別の可否、決済処理段階、決済承認の可否及びＯＴＰ（One Time Password）のうち少なくとも一つを視覚的に表示する表示部とを含む。
【００１１】
一実施例において、前記第３領域は、所持者の識別情報又はカード決済情報を暗号化し、保存するセキュリティー装置と、外部装置と前記セキュリティー装置と間で信号を授受するアンテナとを含む。例えば、前記アンテナは、前記カード制御部の制御に基づいて連結の可否の活性化が制御される。
【００１２】
一実施例において、前記セキュリティー装置は、複数のアプレット（Applet）が保存された記録媒体を含み、前記カード制御部の制御に従って、前記複数のアプレットの中から一つのアプレットが活性化される。
【００１３】
一実施例において、前記カード制御部は、外部呼出しコマンドのセキュリティーレベル情報により、前記指紋認識結果と関係なく、前記第３領域を選択的に活性化し、前記複数のアプレットの中から一つのアプレットを起動する。
【００１４】
一実施例において、前記セキュリティー装置は、前記外部装置から受信されたデータを前記第１領域に提供し、前記表示部を介して表示する。
【００１５】
一実施例において、前記第２領域及び前記第３領域のそれぞれは、活性化された以降、既設定された時間が経過した場合、非活性化される。
【００１６】
一実施例において、前記第２領域は、前記指紋認識センサーから感知された指紋の正常取得の可否、感知された指紋と既保存された認証情報との一致の可否、及び取得された指紋の種類のうちいずれか一つを判断し、前記指紋認証結果を提供する認証制御部を、更に含む。
【００１７】
一実施例において、前記カード制御部は、前記認証制御部から判断された指紋の種類に基づいて、前記複数のアプレットの中から一つのアプレットを活性化する。
【００１８】
本発明の一実施例に係る指紋認識カードは、外部電源と連結され、前記セキュリティー装置と接触する接触部と、前記接触部を介して提供された前記外部電源に基づいて、前記内蔵バッテリーを充電する充電回路とを更に含む。
【００１９】
本発明の一実施例に係る内蔵バッテリー及び指紋認識センサーを備えた板状の指紋認識カードを用いたカード動作方法は、前記指紋認識カードに備えられた電源ボタンの入力に応じて、制御領域から指紋認識領域に前記内蔵バッテリーからの電源を供給して、活性化するステップと、前記指紋認識領域の前記指紋認識センサーが前記供給された電源に基づいて、所持者の指紋を感知するステップと、前記感知された指紋と既保存された認証情報とを照合し、セキュリティー領域の活性化を制御するステップとを含む。
【００２０】
一実施例において、前記セキュリティー領域の活性化を制御するステップは、前記感知された指紋と既保存された認証情報とが一致する場合、前記セキュリティー領域の特定のアプレットを活性化するステップを含む。
【００２１】
一実施例において、前記外部呼出しコマンドのセキュリティーレベル情報に基づいて、セキュリティーレベルが低い場合、前記指紋認識領域に対する電源供給なしで、前記セキュリティー領域の特定アプレットを活性化するステップを含む。例えば、前記外部呼出しコマンドのセキュリティーレベル情報に基づいて、セキュリティーレベルが低い場合、前記指紋認識領域に対する電源供給なしで前記セキュリティー領域の特定アプレットを活性化するステップを含む。
【００２２】
本発明の一実施例に係るカード動作方法は、表示部を介してカード所持者の識別の可否、決済処理段階、決済承認の可否、及びＯＴＰのうち少なくとも一つを視覚的に表示するステップを、更に含む。
【００２３】
本発明の一実施例に係るカード動作方法は、前記指紋認識領域又は前記セキュリティー領域のそれぞれが活性化された以降、既設定された時間が経過した場合、前記指紋認識領域又は前記セキュリティー領域を非活性化するステップを、更に含む。
【００２４】
一実施例において、前記指紋を感知するステップは、指紋の正常取得の可否を判断するステップを含む。
【００２５】
一実施例において、前記セキュリティー領域の活性化を制御するステップは、前記取得された指紋の種類を判断するステップと、前記取得された指紋種類に応じて前記活性化されるアプレットを決定するステップとを含む。
【００２６】
一実施例において、セキュリティー領域の活性化を制御するステップは、
前記感知された指紋と既保存された認証情報とを照合し、既設定された回数以上一致しない指紋が感知された場合、前記カードの動作を停止する。
【００２７】
本発明は、本発明の一実施例による方法をコンピュータで実行させるために、媒体に保存されたプログラムを含む。
【００２８】
本発明は、本発明の一実施例による方法をコンピュータで実行させるためのプログラムを記録したコンピュータで読み取ることができる記録媒体を含む。
【発明の効果】
【００２９】
本発明によれば、板状のプラスチックカードに、追加セキュリティー手段を備え、カードが盗難された場合でも、不正使用を防止することができる指紋認識カード及びこれを用いたカード動作方法を提供することができる。
【００３０】
本発明によれば、板状のプラスチックカードを外部呼出しコマンド又は認識された指紋の種類などに応じて、多様な用途で活用することができる指紋認識カード及びこれを用いたカード動作方法を提供することができる。
【００３１】
本発明によれば、内蔵バッテリーを使用し、動作に応じて特定領域にだけ電源を供給し、内蔵バッテリーの消耗を最小化することができる指紋認識カード及びこれを用いたカード動作方法を提供することができる。
【００３２】
本発明によれば、カード読み取り時に接触する接触部を介して、内蔵バッテリーを充電することができるようにする指紋認識カードを提供することができる。
【図面の簡単な説明】
【００３３】
【図１】本発明の一実施例に係る指紋認識カードの外観を示す図である。
【図２】本発明の一実施例に係る指紋認識カードの内部構成を説明するためのブロック図である。
【図３】本発明の一実施例に係る指紋認識カードを示す図である。
【図４】本発明の一実施例に係る指紋認識カードの動作方法を説明するためのフローチャートである。
【図５】本発明の一実施例に係る指紋認識カードの動作を説明するための図である。
【図６】本発明の一実施例に係る指紋認識カードで表示部の多様な動作を例示的に示した図である。
【発明を実施するための形態】
【００３４】
以下で、本発明の技術的思想を明確にするために添付された図面を参照して本発明の好ましい実施例を詳細に説明する。本発明の説明において、関連した公知機能又は構成要素に対する具体的な説明が本発明の要旨を不要に曇らせると判断される場合、その詳細な説明を省略する。図面中、実質的に同じ機能構成を有する構成要素については、たとえ他の図面上に表示されても、できるだけ同じ参照番号及び符号を付与した。
【００３５】
図１は、本発明の一実施例に係る指紋認識カードの外観を示す図であり、図２は、本発明の一実施例に係る指紋認識カードの内部構成を説明するためのブロック図である。
【００３６】
図１を参照すれば、本発明の一実施例に係る指紋認識カード１００を外部から見ると、表示部１３０、指紋認識センサー１６０、電源ボタン１７０、及びＩＣチップ１９０が観察される。
【００３７】
外観から観察される指紋認識カード１００の動作を説明し、このような動作を行う具体的な内部構成要素は、図２の指紋認識カード２００を参照して説明する。
【００３８】
指紋認識カード１００は、カードの正当な所持者の指紋が認識された場合に、ＩＣチップ１９０に保存された決済情報或いは所持者の識別情報を提供し、カード決済又は所持者の識別等の動作を行う。板状の指紋認識カード１００は、内蔵バッテリーを内部に備えており、電源ボタン１７０に応じて内蔵バッテリーの電源を指紋認識センサー１６０に提供することによって、指紋を感知する。例えば、電源ボタン１７０の入力を認知するために指紋認識カード１００の一部領域には、常に少量の電力が提供される。但し、最小限の領域にだけ指紋認識カード１００に備えられた内蔵バッテリーを介して電源を供給し、電源ボタン１７０の入力に応じて指紋認識センサー１６０に、内蔵バッテリーの電源を供給することによって、指紋認識センサー１６０が活性化される。
【００３９】
表示部１３０は、指紋認識カード１００を使用するときに、活用され得る多様な情報を視覚的に出力することができる。例えば、表示部１３０は、モノクロ又はカラー液晶、ＬＥＤなどのように視覚的に情報を表示可能な構成要素を含む。表示部１３０は、指紋認識カード１００に電源ボタン１７０が入力され電源がオンされるか、オフされる情報、指紋認識を通して指紋が確認された場合、指紋確認情報、決済を要請したことに対する決済応答情報、ＯＴＰ（One Time Password）を生成するか、受信した場合、該当ＯＴＰ情報などが表示される。
【００４０】
図２は、指紋認識カード２００の内部構成要素を示したブロック図である。図２を参照すれば、指紋認識カード２００は、第１領域２１０、第２領域２４０、第３領域２８０、内蔵バッテリー２７０、及び電源ボタン２７５を含む。
【００４１】
第１領域２１０は、カード制御部２２０及び表示部２３０を含む。第１領域２１０は、電源ボタン２７５動作時、内蔵バッテリー２７０を介して電源が供給される。第１領域２１０に含まれたカード制御部２２０は、休眠（Sleep）状態にある場合、電源ボタン２７５の入力を感知すると、内蔵バッテリー２７０から提供された電源を第２領域２４０に提供する。電源ボタン２７５は、図１の電源ボタン１７０に相応していてもよい。第１領域２１０は、指紋認識カード２００全体の動作を管轄するので、制御領域と称してもよい。
【００４２】
本発明に係る指紋認識カード２００において、電源ボタン２７５が入力されない状況では、内蔵バッテリー２７０の電力がほとんど消耗せず、電源ボタン２７５の入力により、第１領域２１０が休眠状態から起動し、他の領域に選択的に電源を提供するので、内蔵バッテリー２７０の電力消耗を最小化することができる。
【００４３】
一実施例として、カード制御部２２０は、認証情報を保存することができる。カード制御部２２０は、第２領域２４０で感知された指紋情報を受信し、指紋情報が既保存された認証情報と一致するかを判断することができる。他の実施例として、カード制御部２２０は、認証制御部２５０で指紋感知に伴う判断結果、即ち、感知された指紋が認証情報と一致するかどうかだけを受信し、このような判断結果に基づいて第３領域２８０を活性化することができる。実施例によっては、カード制御部２２０は、第２領域２４０から提供された指紋認証結果に基づいて第３領域２８０の活性化を制御することができる。例えば、指紋認証結果は、指紋認識センサー２６０から感知された指紋の正常取得の可否、感知された指紋と既保存された認証情報の一致の可否、及び取得された指紋の種類のうち少なくとも一つを判断して、生成され得る。
【００４４】
第１領域２１０が、第３領域２８０を活性化することは、第３領域２８０に含まれたセキュリティー装置２９０内に保存された情報を外部へ伝送するか、セキュリティー装置２９０の特定のアプレット（applet）を活性化することであってもよく、また、第３領域２８０に電源を供給する方式、第３領域２８０のアンテナを連結し、通信機能を活性化する方式などで行われ得る。
【００４５】
第１領域２１０に含まれた表示部２３０は、電源ボタン２７５のＯＮ／ＯＦＦを表示するか、第２領域２４０で感知された指紋が正常に認証されたかどうか、内蔵バッテリー２７０の電池放電の可否、又は選択的にＯＴＰ情報を表示することができる。図２の表示部２３０は、図１の表示部１３０に相応していてもよい。
【００４６】
表示部２３０は、カード制御部２２０から提供された情報に基づいて、電源ボタン２７５のＯＮ／ＯＦＦの可否、感知された指紋の正常認証の可否が表示される。実施例によっては、ＯＴＰ情報は、外部のＯＴＰ生成モジュールから提供された情報が第３領域２８０を介して受信され、第１領域２１０に提供されることによって表示され、他の実施例においては、第３領域２８０のセキュリティー装置２９０又はカード制御部２２０でＯＴＰ情報を自主的に生成することもある。
【００４７】
第２領域２４０は、第１領域２１０を介して提供された内蔵バッテリー２７０の電源に応答して活性化され、指紋認識センサー２６０を介して所持者の指紋情報を感知することができる。指紋認識センサー２６０は、図１の指紋認識センサー１６０に相応していてもよい。第２領域２４０は、指紋認識領域と称してもよい。
【００４８】
実施例によっては、第２領域２４０には認証制御部２５０が含まれ得る。認証制御部２５０は、指紋認識センサー２６０を介して感知された指紋情報と既保存された認証情報とを照合し、指紋認識カード２００の正当な所有者が指紋を入力したかを判断することができる。認証制御部２５０は、判断結果をカード制御部２２０に提供し、カード制御部２２０が他の領域（例えば、第３領域２８０）を活性化するか、表示部２３０に指紋認識結果を表示することができるようにする。
【００４９】
実施例によっては、指紋認識カード２００は、複数の指の指紋情報を管理でき、認証制御部２５０は、指紋認識センサー２６０で感知された情報が、どの指の指紋であるかを判断することもできる。例えば、認証制御部２５０は、指紋認識センサー２６０を介して感知された指紋が、親指の指紋又は人差し指の指紋であるかをその特性により判断し、第１領域２１０のカード制御部２２０に指紋一致の可否に対する情報及び指紋の種類情報を共に提供することができる。複数の指の指紋情報は、カード制御部２２０で管理され、認証制御部２５０は、カード制御部２２０との通信により、感知された指紋がどの指の指紋であるかを判断することができる。
【００５０】
カード制御部２２０は、特定の指と関連した入力信号、即ち、特定のアプレットを活性化するための入力信号を管理し、特定の指の指紋が入力され、関連した入力信号を第３領域２８０に提供することができる。第３領域２８０は、カード制御部２２０から受信した入力信号に応じて相異なったアプレットを起動させることができ、認証された指の種類に応じて相異なったアプレットが起動される。
【００５１】
例えば、カード制御部２２０と第３領域２８０は、複数の連結線で連結されてもよく、連結線の電気的連結の組み合わせによりカード制御部２２０から第３領域２８０に相異なった入力信号が提供されることで認識され得る。カード制御部２２０と第３領域２８０が２つの連結線で連結されていれば、２つの連結線の電気的連結の組み合わせに従って、４種類の入力信号が区分されて提供され得る。
【００５２】
実施例によっては、認証制御部２５０は、感知された指紋情報が正常な指紋情報であるかの可否を判断することができる。例えば、認証制御部２５０は、感知された指紋情報に、指紋を特定可能な特徴点が既設定された個数以上が取得されない場合には、正常な指紋情報でないものと判断することができる。また、正確な指紋情報の感知のためには、指紋認識センサー２６０に一定時間以上は指が触れている必要があり、このような時間内に指の接触が除去されれば、正常に指紋情報が取得されなかったと判断し、指紋情報の再入力を要請することができる。
【００５３】
他の実施例において、認証制御部２５０は、指紋認識センサー２６０の指紋入力の開始、完了、指紋再要請などを、表示部２３０を介して表示することもできる。この場合、認証制御部２５０は、第１領域２１０のカード制御部２２０に表示部２３０を介して表示される情報を伝達することができる。例えば、指紋入力開始を示す「Ｓｔａｒｔ」、そして、指紋情報感知が完了した場合には「ＯＫ」のような情報を表示し、指紋が正常に取得されなかった場合には、再要請を示す「ＲＥ−Ｓｔａｒｔ」のような情報を表示することができる。
【００５４】
また、認証制御部２５０の指紋比較結果が表示部２３０を介して所持者に表示され得る。例えば、指紋認識結果認証が成功した場合には、「ＰＡＳＳ」、認証が失敗した場合には「ＦＡＩＬ」又は「Ｅｒｒｏｒ」という情報が表示部２３０に表示され得る。
【００５５】
前述した通り、カード制御部２２０は、認証された指紋の種類に応じて相異なった入力信号を第３領域２８０に提供するか、カード制御部２２０自主的に相異なった動作を遂行することもできる。
【００５６】
所持者は、指紋比較結果に従って指紋認識カード２００の次の動作を予測することができる。また、指紋認証が正常に行われない場合、指紋認識センサー２６０に対して、より正確な指紋情報を入力するように試みることができる。
【００５７】
実施例によっては、指紋情報と認証情報を既設定された回数以上比較したにも関わらず認証できない場合には、指紋認識カード２００が盗難等により、不正な所持者による指紋認識カード２００の使用と認知し、カード制御部２２０は指紋認識カード２００の動作を制限する。
【００５８】
例えば、指紋認識カード２００に電源ボタン２７５が入力される場合にも、カード制御部２２０は、第２領域２４０及び／又は第３領域２８０を活性化しないことがある。
【００５９】
既保存された認証情報と指紋認識センサー２６０を通じて取得された指紋情報とが一致する場合、カード制御部２２０は第３領域２８０を活性化する。
【００６０】
本明細書では、第１領域２１０と第２領域２４０のカード制御部２２０及び認証制御部２５０が、それぞれ分離されたものとして説明したが、実施例によっては、カード制御部２２０及び認証制御部２５０は一つの制御部からなっていてもよい。
【００６１】
第３領域２８０の活性化は、第１領域２１０を介して内蔵バッテリー２７０から電源が提供されるか、電源印加の可否と関係なく、第３領域２８０自体の動作活性化によるものであってもよい。
【００６２】
第３領域２８０は、セキュリティー装置２９０及びアンテナ２９４を含む。セキュリティー装置２９０は、既保存された認証情報、カードユーザ情報、所持者の認証情報などを保存し、実施例によっては、複数のアプレット（applet）を保存する記録媒体を含む。第３領域２８０は、図１のＩＣチップ１９０に相応していてもよい。第３領域２８０は、セキュリティー領域と称していてもよい。
【００６３】
さらに、セキュリティー装置２９０は、暗号化モジュールを含み、保存された情報やアプレットを暗号化して保存することができる。例えば、セキュリティー装置２９０は、セキュリティー要素（Secure Element）を含むことができる。ＳＥは、ＵＩＣＣ（Universal Integrated Circuit Card）、ｅｍｂｅｄｄｅｄ  ＳＥ（ｅＳＥ）及びｍｉｃｒｏ  ＳＤを含むことができる。ＵＩＣＣは、携帯電話を開通するときに、必要なＵＳＩＭチップと同じ意味として使用され、ｅＳＥは、電子機器製造業者が機器のメインボードにＳＥを付着する形態で具現された要素を意味することになる。Ｍｉｃｒｏ  ＳＤは、主に脱付着可能な形態で提供され、移動通信社の影響力から離れ、例えば、ｍｉｃｒｏ  ＳＤは、提供した機関に所有権があり、これを通したサービスが可能に作られている。ＳＥは自主的な暗号化システムだけでなく、ＳＥが取り付けられた装置の動作を管轄する中央処理装置（ＣＰＵ）と分離された形態で提供されるので、ハッキングなどに強く、セキュリティー性が高い。従って、セキュリティー装置２９０の活性化は、第１領域２１０により制御され得るが、セキュリティー装置２９０内部の動作は、セキュリティー装置２９０自体の制御手段により行われる。
【００６４】
アンテナ２９４は、板状の指紋認識カード２００に印刷された導電性パターンを含み、外部装置とセキュリティー装置２９０と間の通信を行う。例えば、第３領域２８０が活性化された場合、セキュリティー装置２９０に保存されたカード決済情報や所持者の認証情報が外部の決済代行端末、決済代行サーバー、所持者の認証装置などに転送される。
【００６５】
また、セキュリティー装置２９０は、アンテナ２９４を介して外部のＯＴＰ生成モジュールに対し、ＯＴＰ生成を要請することもできる。例えば、セキュリティー装置２９０は、外部のＯＴＰ生成モジュールに近距離無線通信などの方法で所持者情報を伝達することによって、ＯＴＰ生成を要請することができる。ＯＴＰ生成モジュールによって生成されたＯＴＰを受信した第３領域２８０は、ＯＴＰ情報を、表示部２３０を介して表示する。
【００６６】
実施例によっては、セキュリティー装置２９０は、外部装置から受信した決済承認情報、所持者の認証情報、及びＯＴＰ情報などをセキュリティー装置２９０に保存するか、第１領域２１０に提供する。第１領域２１０は、外部装置から受信された情報を、表示部２３０を介して表示することによって、所持者がカード使用に活用することができるようにする。
【００６７】
セキュリティー装置２９０は、相異なったアプレットを起動することによって、多様な動作を遂行しており、このようなアプレットの実行は、外部から受信された呼び出しコマンドに基づくか、カード制御部２２０から受信された入力信号、又はカード自体に備えられた入力手段によって開始される。外部からの呼び出しコマンドによる動作は、図５を参照して後記する。カード自体に備えられた入力手段によるものは、カード自体のハードキー（Hard key）等を通してセキュリティー装置２９０で実行されるアプレットを選択することを意味する。例えば、所持者が指紋認識カード２００を通して決済をしようとするとき、ＩＤカードで指紋認識カード２００を活用しようとするとき、ＯＴＰ番号を生成しようとするときに、相異なったハードキーを入力して、指紋認識カード２００を使用することができる。また、前述した通りに、所持者が入力した指の種類に応じてカード制御部２２０から相異なった入力信号が提供され、入力信号に基づいて相異なったアプレットが起動される。
【００６８】
第３領域２８０は、セキュリティー装置２９０に接触した接触部２９２を更に含む。接触部２９２は外部のカード読取り器などと電気的に連結され、セキュリティー装置２９０に電気的信号を伝達する。
【００６９】
実施例によっては、第２領域２４０及び第３領域２８０が活性化された以降、既設定された時間が経過した場合、自動的に各領域が非活性化される。各領域が活性化される時間は、同じであるか異なってもよく、内部のタイマーを駆動して時間をカウントすることができる。また、第１領域２１０で各領域の活性化を制御するため、第１領域２１０で各領域の活性化時間を確認し、既設定された活性化時間が経過した場合、第２領域２４０及び／又は第３領域２８０を非活性化させることもできる。
【００７０】
このような方式を通じて指紋認識カード２００は、内蔵バッテリー２７０の消耗を最小化し、外部の電源なしでも指紋認識及び表示動作が行える。
【００７１】
しかし、内蔵バッテリー２７０の電力が全部消耗した場合にも、持続的に指紋認識カード２００が使用可能でなければならない。
【００７２】
図３は、本発明の一実施例に係る指紋認識カードを示す図である。
【００７３】
図２の指紋認識カード２００と比較した場合、図３の指紋認識カード３００は充電回路３２０を更に含む。同じ参照符号は実質的に同じ構成要素を示し、実質的に同じ構成及び動作を遂行するので、説明の便宜のために具体的な説明は省略する。
【００７４】
充電回路３２０は、内蔵バッテリー２７０とセキュリティー装置２９０に接触した接触部２９２とを連結する。カード読取り器は、接触部２９２を介してセキュリティー装置２９０と接触する接触端子を備える。本発明の一実施例に係る指紋認識カード３００は、カード読取り器と電気的に連結された接触部２９２を介して電流が供給され、電流を受信した充電回路３２０は、内蔵バッテリー２７０に電流を供給して充電する。
【００７５】
このような充電回路３２０を備えることによって、内蔵バッテリー２７０が放電される場合にも、カード読取り器を介して容易に内蔵バッテリー２７０を充電することができるので、指紋認識カード３００の寿命を延長させることができる。
【００７６】
図４は、本発明の一実施例に係る指紋認識カードの動作方法を説明するためのフローチャートである。
【００７７】
図４を参照すれば、第１領域２１０のカード制御部２２０が電源ボタン２７５の作動信号を感知する（Ｓ４１０）。第１領域２１０のカード制御部２２０は、電源ボタン２７５の入力に応じて第２領域２４０に内蔵バッテリー２７０からの電源を供給することによって、第２領域２４０を活性化する（Ｓ４２０）。
【００７８】
第２領域２４０の指紋認識センサー２６０を介して所持者の指紋が取得される。指紋認識センサー２６０を介して指紋が正常に感知された場合（Ｓ４３０、はい）、認証制御部２５０が指紋を検証する（Ｓ４５０）。実施例によっては、認証制御部２５０は感知された指紋と既保存された認証情報とを照合し、指紋を認証する一方、感知された指紋がどの指の指紋であるのか、即ち、指紋の種類を判断することによって指紋を検証することができる。
【００７９】
指紋認識センサー２６０を介して指紋が正常に感知されなかった場合（Ｓ４３０、いいえ）、認証制御部２５０が指紋認識を再要請することができる（Ｓ４４０）。前述した通りに、指紋認識再要請は、表示部２３０を介して再要請メッセージを表示する方法で行われる。
【００８０】
認証制御部２５０を介した指紋認証結果は、カード制御部２２０に提供される。認証制御部２５０より提供される指紋認証結果は、指紋認識センサーから感知された指紋の正常取得の可否、感知された指紋と既保存された認証情報との一致の可否、及び取得された指紋の種類のうち少なくとも一つを判断して、生成される。
【００８１】
認証制御部２５０が指紋認証に成功した場合（Ｓ４６０、はい）、カード制御部２２０は、第３領域２８０を活性化する（Ｓ４７０）。認証制御部２５０は、第３領域２８０を活性化し、第３領域２８０のセキュリティー装置２９０の特定の機能を活性化するための入力信号を提供することができる。また、前述した通りに、セキュリティー装置２９０は、外部からコマンドを受信するか、指紋認識カード２００に備えられたハードキー等を通した入力に基づいて、特定機能を活性化する（Ｓ４８０）。
【００８２】
実施例によっては、カード制御部２２０は、第３領域２８０に指紋情報を伝達することもできる。第３領域２８０に伝達された指紋情報に基づいて、セキュリティー装置２９０に含まれた暗号化された情報が導き出され得る。
【００８３】
セキュリティー装置２９０は、呼び出しされたコマンド又は指紋認識カード１００、２００、３００で選ばれた機能に基づいて、特定の機能を活性化することができる（Ｓ４９０）。活性化された機能に応じてセキュリティー装置２９０の動作が実行される。例えば、セキュリティー装置２９０は、カード決済要請、ＯＴＰ番号生成、所持者識別などの動作を行う。
【００８４】
指紋認証が失敗した場合（Ｓ４６０、いいえ）、カード制御部２２０は、表示部２３０を介して認証失敗メッセージを出力することができる（Ｓ４６５）。そして、指紋の再認識を要請することができる（Ｓ４４０）。実施例によっては、指紋認証失敗が既設定された回数以上になれば、カード制御部２２０は、指紋認識カード１００、２００、３００の動作全体を中止することができる。
【００８５】
実施例によっては、カード制御部２２０は、外部呼出しコマンドを受信し、外部呼出しコマンドに含まれたセキュリティーレベル情報に従って第２領域２４０に電源を供給することによって、指紋の入力を受けるなどの動作を行うことなく、直ちに第３領域２８０を活性化することができる。セキュリティーレベルが高くないコマンドを遂行する場合に比べて、指紋認識を遂行するなどで電力を浪費する必要がないからである。
【００８６】
カード制御部２２０が、指紋認識が不要な呼び出しコマンドを受信する場合には、電源ボタン２７５の作動信号を感知した以降、第２領域を活性化し、指紋情報を感知するステップを省略して、直ちに第３領域２８０を活性化することができる。指紋情報感知ステップを省略して、第３領域２８０の特定のアプレットが活性化され得、このとき、活性化されるアプレットは、セキュリティーレベルが低いアプレットであってもよい。
【００８７】
図５は、本発明の一実施例に係る指紋認識カードの動作を説明するための図である。
【００８８】
図５ではカード制御部２２０が受信した外部呼出しコマンドのセキュリティーレベル情報に応じて相異なった方式で動作する方法を説明する。
【００８９】
図５（ａ）を参照すれば、指紋認識カード２００が、第１セキュリティー端末５１０から呼出しコマンドを受信する（Ｓ５１）。指紋認識カード２００のカード制御部２２０は、第１セキュリティー端末５１０から受信された呼出しコマンドに含まれたセキュリティーレベル情報に基づいて判断した結果、指紋認識及びそれに伴う検証が不要と判断し、第３領域２８０のセキュリティー装置２９０を活性化する（Ｓ５２）。活性化されたセキュリティー装置２９０には、セキュリティーレベルの低い基本アプレットが起動される（Ｓ５３）。例えば、指紋認識カード２００が企業内の識別手段として活用される場合、正門への出入りのためには、指紋認識を介して出入者を認証することよりは、低いセキュリティーレベルが設定されていてもよい。このように、簡単な識別手段として活用される場合には、指紋認識過程を経ないことによって電力消耗を低減すことができる。
【００９０】
図５（ｂ）の場合、指紋認識カード２００が第２セキュリティー端末５２０から呼出しコマンドを受信する（Ｓ５５）。指紋認識カード２００のカード制御部２２０は、第２セキュリティー端末５２０から受信された呼出しコマンドに含まれたセキュリティーレベル情報に基づいて判断した結果、指紋認識及びそれに伴う検証が必要と判断し、第２領域２４０を活性化することによって指紋認識を行う（Ｓ５６）。
【００９１】
カード制御部２２０は、第２領域２４０で感知された指紋情報と既保存された認証情報の比較結果とを受信し、これに従って、第３領域２８０のセキュリティー装置２９０を活性化する（Ｓ５７）。実施例によっては、カード制御部２２０は、第２領域２４０から認証された指紋の種類を受信し、第３領域２８０に相異なった入力信号を提供することもできる。セキュリティー装置２９０ではカード制御部２２０が受信した呼出しコマンド及び第３領域２８０から受信した入力信号のうち少なくとも一つに基づいて、特定のアプレットを起動する（Ｓ５８）。このときに起動されるアプレットは、セキュリティーレベルの高いものであり、例えば、高いセキュリティーが求められる研究所やシステム室に対する出入り識別アプレットを含むことができる。
【００９２】
このように本発明の一実施例に係る指紋認識カード２００及びこれを用いたカード動作方法は、指紋認識センサーを備え、不正なカード使用を防止する一方で、内蔵バッテリーの電力消耗を減らすために特定の領域に対し、電源が供給されることを制御し、しかも、セキュリティーレベルの低い動作を判断し、該当動作に対しては指紋認識を行わないようにして、より融通性を有しながらカードを使えるようにする。
【００９３】
図６は、本発明の一実施例に係る指紋認識カードにおいて、表示部の多様な動作を例示的に示した図である。
【００９４】
図６（ａ）を参照すれば、表示部は、指紋検証が成功した場合には、「Ｇｏｏｄ」を表示して、所持者が指紋認識の成功を確認できるようにしており、図６（ｂ）を参照すれば、指紋認識が失敗した場合「Ｆａｉｌ」を表示して、所持者が再び指紋認識を試みることができるように誘導する。また、図６（ｃ）を参照すれば、ＯＴＰ情報を表示する場合には「７３０６１１」のように６桁の数字を表示することもできる。
【００９５】
図６は、本発明に係る指紋認識カード２００を活用した例示的な表示部の表示を示したものであり、これに限定されない。
【００９６】
以上で、本発明について図面に示された好ましい実施例を中心に詳細に説明した。このような実施例は、この発明を限定しようとするものではなく、例示的なものに過ぎず、限定的な観点でなく説明的な観点で考慮されなければならない。本発明の真の技術的保護範囲は前述した説明ではなく、添付された特許請求範囲の技術的思想によって決められるべきである。また、本明細書に特定の用語が使用されているが、これは、単に本発明概念を説明するための目的で使用されたものであって意味限定や特許請求範囲に記載された本発明の範囲を制限するためのものではない。従って、本発明が属する技術分野における通常の知識を有した者は、特許請求範囲で請求する本発明の本質的な技術思想から逸脱しない範囲内で多様な変形形態及び均等な他の実施例が可能であるという点を理解するだろう。均等物は、現在の公知された均等物だけでなく、将来に開発される均等物、即ち、構造と関係がなく、同じ機能を遂行するように発明された全ての構成要素を含むものとして理解されなければならない。
【符号の説明】
【００９７】
１００、２００  指紋認識カード
２７０  内蔵バッテリー
２１０  第１領域
２７５  パワーオンプッシュボタン
２２０  カード制御部
２８０  第３領域
２３０  表示部
２９０  セキュリティー装置
２４０  第２領域
２９２  接触部
２５０  認証制御部
２９４  アンテナ
２６０  指紋認識センサー
３２０  充電回路
【図１】
2018063688.tif 000003
【図２】
2018063688.tif 000004
【図３】
2018063688.tif 000005
【図４】
2018063688.tif 000006
【図５】
2018063688.tif 000007
【図６】
2018063688.tif 000008